(57)【要約】【課題】  ２以上の機能を並行して実行しているとき、表示手段がどの機能に関する情報を優先的に表示するかを、状況に応じて適切に切り替えることのできる複合機の提供。【解決手段】  ファクシミリ機能が指定されているときは、（Ａ）に示すテーブルに沿って表示を制御する。すなわち、１次（先行の処理）または２次（割り込み処理）のいずれかがファクシミリ機能である場合は、ファクシミリ機能に関する情報を表示パネルに表示する。１次または２次がコピー機能であり２次または１次がスキャナ機能である場合は、コピー機能に関する情報を表示パネルに表示する。コピー機能が指定されているときは、（Ｂ）のテーブルに沿って、１次または２次のいずれかがコピー機能である場合はコピー機能に関する情報を、１次または２次がファクシミリ機能であり２次または１次がスキャナ機能である場合はファクシミリ機能に関する情報を、それぞれ表示パネルに表示する。【選択図】  図４
2005086266.tif 000002
【特許請求の範囲】
【請求項１】
複数の機能を併せ持ち、その内の２以上の機能を並行して実行可能な複合機であって、
実行中の機能に関する情報を表示する表示手段と、
２以上の機能を並行して実行しているとき、上記表示手段がどの機能に関する情報を優先的に表示するかを、状況に応じて制御する表示制御手段と、
を備えたことを特徴とする複合機。
【請求項２】
上記表示手段が、優先的に表示するべき１つの機能に関する情報のみを表示することを特徴とする請求項１記載の複合機。
【請求項３】
使用者によって操作される操作部を、更に備え、
上記表示制御手段が、上記操作部の操作に応じて上記制御を行うことを特徴とする請求項１または２記載の複合機。
【請求項４】
上記操作部が、上記表示手段に優先的に情報表示したい機能を直接指定する手段であることを特徴とする請求項３記載の複合機。
【請求項５】
上記操作部を介してどの機能が指定されているかを報知する報知手段を、更に備えたことを特徴とする請求項４記載の複合機。
【請求項６】
実行中の機能に関する指示を与えるためのキーを有する操作パネルを備え、
上記操作部を介してどの機能が指定されているかに応じて、上記キーの役目が変化することを特徴とする請求項４または５記載の複合機。
【請求項７】
上記機能として、少なくともコピー機能及びファクシミリ機能を併せ持ったことを特徴とする請求項１〜６のいずれかに記載の複合機。
【請求項８】
表示手段が情報を優先的に表示していた機能の実行が終了したとき、上記表示制御手段が、その機能に関する情報が優先的に表示される前に優先的に表示されていた機能に関する情報を、上記表示手段に優先的に表示させることを特徴とする請求項１〜７のいずれかに記載の複合機。
【請求項９】
少なくともコピー機能及びファクシミリ機能を含む複数の機能を併せ持ち、その内の２以上の機能を並行して実行可能な複合機であって、
実行中の機能に関する情報を表示する表示手段と、
コピー機能の実行中にファクシミリ機能を割り込み実行した場合、または、ファクシミリ機能の実行中にコピー機能を割り込み実行した場合には、コピー機能が指定されている場合はコピー機能に関する情報を上記表示手段が優先的に表示し、ファクシミリ機能が指定されている場合はファクシミリ機能に関する情報を上記表示手段が優先的に表示することを特徴とする複合機。
【発明の詳細な説明】
【技術分野】
【０００１】
本発明は、複数の機能を併せ持ち、その内の２以上の機能を並行して実行可能な複合機に関し、詳しくは、実行中の機能に関する情報を表示する構成に特徴を有する複合機に関する。
【背景技術】
【０００２】
近年のファクシミリ装置には、ファクシミリ機能の他に、コピー機能，スキャナ機能等も実行可能な複合機として構成されたものがある。また、このような複合機では、ファクシミリ機能によるデータ送信中（いわゆるフェーズＣ）にコピー機能を実行可能にするなど、２以上の機能を並行して実行可能にすることが考えられている。
【０００３】
複合機では、実行中の機能に関する情報を液晶ディスプレイ等の表示手段に表示しているが、２以上の機能を並行して実行しているときは、表示手段にどのような表示を行うべきか工夫を要する。例えば、２以上のディスプレイまたは大型のディスプレイを設けて機能毎に個々に情報を表示すれば、ディスプレイが多数必要になってコストアップにつながる。また、実行中の機能に関する情報に優劣を付けず、同サイズで表示すると使い勝手が悪い場合がある。実行中の機能に関する情報を交互に表示する場合も同様に使い勝手が悪い場合がある。そこで、最初から実行されていた機能と後から割り込み実行された機能とに応じてテーブルを参照し、どちらの機能に関する情報を優先的に表示するかを決定することが考えられている。（例えば、特許文献１参照。）。
【特許文献１】特開平２−９２１４６号公報
【発明の開示】
【発明が解決しようとする課題】
【０００４】
しかしながら、最初から実行されていた機能と後から割り込み実行された機能とに応じて情報を優先的に表示すべき機能を一律に決定すると、次のような不具合が生じることがある。例えば、モードキーによりコピーモード，ファクシミリモード等を切替可能に構成された複合機では、そのモードキーによって例えばコピーモードに切り替えたとき、使用者はコピー専用機を扱うような感覚で操作をする。ところが、コピー機能の実行中にＦＡＸ受信等の割り込みがあってそちらの機能に表示が切り替えられると、使用者は操作を中断しなければならない事態も生じる可能性がある。
【０００５】
そこで、本発明は、２以上の機能を並行して実行しているとき、表示手段がどの機能に関する情報を優先的に表示するかを、状況に応じて適切に切り替えることのできる複合機の提供を目的としてなされた。
【課題を解決するための手段】
【０００６】
上記目的を達するためになされた請求項１記載の発明は、複数の機能を併せ持ち、その内の２以上の機能を並行して実行可能な複合機であって、実行中の機能に関する情報を表示する表示手段と、２以上の機能を並行して実行しているとき、上記表示手段がどの機能に関する情報を優先的に表示するかを、状況に応じて制御する表示制御手段と、を備えたことを特徴としている。
【０００７】
本発明では、複合機が２以上の機能を並行して実行しているとき、その複合機に設けられた表示手段がどの機能に関する情報を優先的に表示するかを、表示制御手段が状況に応じて制御する。このため、並行して実行されている機能の内のどの機能に関する情報を優先的に表示するかが、状況に応じて適切に切り替えられる。
【０００８】
請求項２記載の発明は、請求項１記載の構成に加え、上記表示手段が、優先的に表示するべき１つの機能に関する情報のみを表示することを特徴としている。
本発明では、優先的に表示するべき１つの機能に関する情報のみを表示手段が表示するので、表示手段を必要最小限のものにすることができ、一層のコストダウンを図ることができる。
【０００９】
請求項３記載の発明は、請求項１または２記載の構成に加え、使用者によって操作される操作部を、更に備え、上記表示制御手段が、上記操作部の操作に応じて上記制御を行うことを特徴としている。
【００１０】
本発明では、表示制御手段が、操作部の操作に応じて上記制御を行う。このため、使用者が操作部を操作することにより、並行して実行されている機能の内のどの機能に関する情報を優先的に表示するかを切り替えることができる。
【００１１】
請求項４記載の発明は、請求項３記載の構成に加え、上記操作部が、上記表示手段に優先的に情報表示したい機能を直接指定する手段であることを特徴としている。
本発明では、使用者が操作部を操作することにより、優先的に情報表示したい機能を直接指定することが可能となる。
【００１２】
請求項５記載の発明は、請求項４記載の構成に加え、上記操作部を介してどの機能が指定されているかを報知する報知手段を、更に備えたことを特徴としている。
本発明では、操作部を介してどの機能が指定されているかを、報知手段が報知する。このため、本発明では、操作部によってどの機能に関する情報を優先的に表示するように設定されているかを、使用者が報知手段から容易に把握することができる。
【００１３】
請求項６記載の発明は、請求項４または５記載の構成に加え、実行中の機能に関する指示を与えるためのキーを有する操作パネルを備え、上記操作部を介してどの機能が指定されているかに応じて、上記キーの役目が変化することを特徴としている。
【００１４】
本発明では、操作部を介してどの機能が指定されているかに応じて、操作パネルのキーの役目が変化する。そして、そのキーを介して、実行中の機能に関する指示を与えることができる。
【００１５】
請求項７記載の発明は、請求項１〜６のいずれかに記載の構成に加え、上記機能として、少なくともコピー機能及びファクシミリ機能を併せ持ったことを特徴としている。
複合機の機能の内でも、コピー機能やファクシミリ機能は使用頻度の高い機能である。本発明は、これらの機能を併せ持っているので、利便性が高く、しかも、上記のように表示を切り替える効果が顕著になる。
【００１６】
請求項８記載の発明は、請求項１〜７のいずれかに記載の構成に加え、表示手段が情報を優先的に表示していた機能の実行が終了したとき、上記表示制御手段が、その機能に関する情報が優先的に表示される前に優先的に表示されていた機能に関する情報を、上記表示手段に優先的に表示させることを特徴としている。
【００１７】
本発明では、表示手段が情報を優先的に表示していた機能の実行が終了したとき、表示制御手段は、その機能に関する情報が優先的に表示される前に優先的に表示されていた機能に関する情報を、表示手段に優先的に表示させる。このため、割り込み実行された機能に関する情報が優先的に表示された場合にも、その機能の実行が終了すると割り込みがなされる前の状態に表示が戻る。
【００１８】
請求項９記載の発明は、少なくともコピー機能及びファクシミリ機能を含む複数の機能を併せ持ち、その内の２以上の機能を並行して実行可能な複合機であって、実行中の機能に関する情報を表示する表示手段と、コピー機能の実行中にファクシミリ機能を割り込み実行した場合、または、ファクシミリ機能の実行中にコピー機能を割り込み実行した場合には、コピー機能が指定されている場合はコピー機能に関する情報を上記表示手段が優先的に表示し、ファクシミリ機能が指定されている場合はファクシミリ機能に関する情報を上記表示手段が優先的に表示することを特徴としている。
【００１９】
本発明の複合機は、少なくともコピー機能及びファクシミリ機能を並行して実行することができ、表示手段は、実行中の機能に関する情報を表示する。そして、コピー機能の実行中にファクシミリ機能を割り込み実行した場合、または、ファクシミリ機能の実行中にコピー機能を割り込み実行した場合には、コピー機能が指定されている場合はコピー機能に関する情報を表示手段が優先的に表示し、ファクシミリ機能が指定されている場合はファクシミリ機能に関する情報を上記表示手段が優先的に表示する。
【００２０】
このため、コピー機能またはファクシミリ機能のいずれか所望の機能を操作パネル等を介して指定しておけば、２つの機能が並行して実行されるときに指定しておいた機能に関する情報が優先的に表示される。
【発明の効果】
【００２１】
このように、請求項１記載の発明では、並行して実行される機能の内のどの機能に関する情報を優先的に表示するかを、状況に応じて適切に切り替えることができる。従って、優先順位を固定的に設定する場合に比べて、本発明の複合機は極めて操作性が向上する。
【００２２】
請求項２記載の発明では、表示手段を必要最小限のものにすることができる。従って、請求項１記載の発明の効果に加えて、一層のコストダウンを図ることができるといった効果が生じる。
【００２３】
請求項３記載の発明では、使用者が操作部を操作することにより、並行して実行されている機能の内のどの機能に関する情報を優先的に表示するかを切り替えることができる。従って、請求項１または２記載の発明の効果に加えて、優先的に表示される機能の情報を使用者の要請に合わせることによって、複合機の操作性を一層向上させることができるといった効果が生じる。
【００２４】
請求項４記載の発明では、使用者は、操作部を操作することにより、優先的に情報表示したい機能を直接指定することができる。従って、請求項３記載の発明の効果に加えて、優先的に表示される機能の情報を使用者の要請に一層適合させ、複合機の操作性を一層向上させることができるといった効果が生じる。
【００２５】
請求項５記載の発明では、どの機能に関する情報を優先的に表示するように設定されているかを、使用者が報知手段から把握できるので、請求項４記載の発明の効果に加えて、複合機の操作性を一層向上させることができるといった効果が生じる。
【００２６】
請求項６記載の発明では、操作部を介してどの機能が指定されているかに応じて、操作パネルのキーの役目が変化するので、そのキーを複数の機能に対する兼用のキーとすることができる。従って、請求項４または５記載の発明の効果に加えて、一層のコストダウンを図ることができるといった効果が生じる。
【００２７】
請求項７記載の発明は、使用頻度の高いコピー機能とファクシミリ機能とを、上記機能として併せ持っている。従って、請求項１〜６のいずれかに記載の発明の効果が一層顕著になり、更に、複合機の利便性が一層向上するといった効果が生じる。
【００２８】
請求項８記載の発明では、割り込み実行された機能に関する情報が優先的に表示された場合にも、その機能の実行が終了すると割り込みがなされる前の状態に表示が戻るので、請求項１〜７のいずれかに記載の発明の効果に加えて、複合機の操作性を一層向上させることができるといった効果が生じる。
【００２９】
請求項９記載の発明では、コピー機能及びファクシミリ機能を並行して実行することができ、いずれか所望の機能を予め指定しておけば、２つの機能が並行して実行されるときには予め指定しておいた機能に関する情報が優先的に表示される。このため、本発明の複合機では、優先的に表示される機能の情報を使用者の要請に良好に適合させることができ、極めて操作性が向上する。
【発明を実施するための最良の形態】
【００３０】
次に本発明の実施の形態について例を挙げて説明する。
複合機１は、プリンタ、コピー、スキャナ、及びファクシミリとしての機能を有する装置であって、図１に示すように、本体後側に配設された印刷給紙部１２、本体上部の後側に配設された読取給紙部１４、本体前側に配設された印刷排紙部１６及び読取排紙部１８、本体上面の中央部に配設された表示パネル２０、本体上部の前側に配設された操作パネル３０、等を備えている。また、この複合機１には、図２に示すように、複合機１全体の動作を制御する制御部４０、プリンタ部５０、スキャナ部６０等が内蔵されている。
【００３１】
操作パネル３０は、「０」〜「９」の数字キー３１、「＊」キー３２、「＃」キー３３、利用すべき機能（コピー機能、スキャナ機能、及びファクシミリ機能のいずれか）を切り替える機能キー３４、機能毎の設定を行う設定キー３５、スタートキー３６、電源キー３７、コピー機能に関する設定を行うための拡大縮小切換キー３８ａ，濃淡切換キー３８ｂ，画質切換キー３８ｃ、並びに、ファクシミリ機能実行時にダイヤル入力を簡略化するためのワンタッチダイヤルキー３９、等の各種キーを備えている。
【００３２】
制御部４０（図２）は、ＣＰＵ４１、ＲＯＭ４２、ＲＡＭ４３、ＰＣインターフェース部（以下、ＰＣＩ／Ｆという）４４、ＮＣＵ（network control unit）４５、等がバス４６を介して接続されてなり、後述のように表示制御手段にも相当するものである。
【００３３】
これらの内、ＣＰＵ４１は、予めＲＯＭ４２に記憶されている処理手順に従い、処理結果をＲＡＭ４３に記憶させながら、複合機１の各構成要素にバス４６経由で指令を送ることによって、複合機１全体の動作を制御する。また、ＰＣＩ／Ｆ４４は、複合機１を通信ケーブル経由で別の周知のパーソナルコンピュータ（ＰＣ）とデータ通信可能に接続するためのインターフェースである。更に、ＮＣＵ４５は、複合機１を電話回線網に接続するためのインターフェースである。
【００３４】
プリンタ部５０は、印刷給紙部１２にセットされた用紙を印刷排紙部１６まで搬送しながら用紙への画像の印刷を行う構成要素である。なお、このプリンタ部５０における印刷方式は、インクジェット方式でも、レーザ方式、熱転写方式でもよい。すなわち、印刷のできる方式であれば、どのような方式でもよい。スキャナ部６０は、読取給紙部１４にセットされた原稿を読取排紙部１８まで搬送しながら原稿に印刷された画像の読み取りを行う構成要素である。
【００３５】
表示手段としての表示パネル２０の前側に配設された操作部としての機能キー３４は、図３に拡大して示すように、ファクシミリ機能を指定するためのＦＡＸモードキー３４ａ、コピー機能を指定するためのコピーモードキー３４ｂ、及び、スキャナ機能を指定するためのスキャナモードキー３４ｃを備えている。また、各キー３４ａ，３４ｂ，３４ｃは発光ダイオード（報知手段に相当）を内蔵し、最後に押下されたキー（３４ａ，３４ｂ，３４ｃのいずれか）が点灯するように構成されている。
【００３６】
表示パネル２０は、基本的には１つの機能に関する情報のみを表示するが、ある機能（１次）を実行しているときに他の機能（２次）を割り込み実行した場合には、制御部４０は次のように表示パネル２０の表示を制御する。
【００３７】
機能キー３４にてファクシミリ機能が指定されているときは、図４（Ａ）に示すテーブルに沿って表示を制御する。すなわち、１次または２次のいずれかがファクシミリ機能である場合は、ファクシミリ機能に関する情報を表示パネル２０に表示する。１次または２次がコピー機能であり２次または１次がスキャナ機能である場合は、コピー機能に関する情報を表示パネル２０に表示する。
【００３８】
同様に、コピー機能が指定されているときは、図４（Ｂ）のテーブルに沿って、１次または２次のいずれかがコピー機能である場合はコピー機能に関する情報を、１次または２次がファクシミリ機能であり２次または１次がスキャナ機能である場合はファクシミリ機能に関する情報を、それぞれ表示パネル２０に表示する。更に、スキャナ機能が指定されているときは、図４（Ｃ）のテーブルに沿って、１次または２次のいずれかがスキャナ機能である場合はスキャナ機能に関する情報を、１次または２次がファクシミリ機能であり２次または１次がコピー機能である場合はファクシミリ機能に関する情報を、それぞれ表示パネル２０に表示する。
【００３９】
図５は、このような表示パネル２０の制御を実現するために、制御部４０が実行する処理を表すフローチャートである。なお、制御部４０は、電源投入後、この処理を所定タイミングで繰り返し実行する。また、図５は、制御部４０が実行する処理の内、表示パネル２０の制御に関する処理のみを抽出したもので、制御部４０は別ルーチンによって他の各種処理を実行する。
【００４０】
図５に示すように、処理を開始すると制御部４０は、先ず、Ｓ１（Ｓはステップを表す：以下同様）にて、ＦＡＸモードキー３４ａが押下されているか否か、すなわち、ファクシミリ機能が指定されているか否かを判断する。ＦＡＸモードキー３４ａが押下されているときは（Ｓ１：Ｙ）、Ｓ２にて、制御部４０が別ルーチンで実行しているプリンタ部５０等の制御処理において、ファクシミリ機能に関する情報の表示要求（以下、ＦＡＸ表示要求という：コピー機能等についても同様とする）があるか否かを判断する。ＦＡＸ表示要求がある場合は（Ｓ２：有り）、Ｓ３へ移行し、そのファクシミリ機能に関する情報を表示パネル２０に表示する処理（以下、ＦＡＸ表示処理という：コピー機能等についても同様とする）を実行して一旦処理を終了する。
【００４１】
ＦＡＸ表示要求がない場合は（Ｓ２：無し）、Ｓ４にてコピー表示要求があるか否かを判断し、ある場合は（Ｓ４：有り）、コピー表示処理（Ｓ５）を実行して一旦処理を終了する。更に、ＦＡＸ表示要求もコピー表示要求もない場合は（Ｓ４：無し）、Ｓ６へ移行し、その他の表示要求（例えばスキャナ機能に関する表示要求）があるか否かを判断する。その他の表示要求がある場合は（Ｓ６：有り）、該その他の表示要求に対応する表示処理（Ｓ７）を実行して一旦処理を終了する。また、その他の表示要求もない場合は（Ｓ６：無し）、ＦＡＸモードの待機表示をして（Ｓ９）、一旦処理を終了する。以上の、Ｓ２〜Ｓ９の処理により、図４（Ａ）のテーブルに沿った表示が実行される。
【００４２】
一方、ＦＡＸモードキー３４ａが押下されていないときは（Ｓ１：Ｎ）、Ｓ１１にて、コピーモードキー３４ｂが押下されているか否かを判断する。コピーモードキー３４ｂが押下されているときは（Ｓ１１：Ｙ）、Ｓ１２へ移行し、コピー表示要求があるか否かを判断する。コピー表示要求がある場合は（Ｓ１２：有り）、コピー表示処理（Ｓ１３）を実行して一旦処理を終了する。コピー表示要求がなく（Ｓ１２：無し）、ＦＡＸ表示要求がある場合は（Ｓ１４：有り）、ＦＡＸ表示処理（Ｓ１５）を実行して一旦処理を終了する。コピー表示要求もＦＡＸ表示要求もない場合は（Ｓ１４：無し）、その他の表示要求があるか否かを判断し（Ｓ１６）、その他の表示要求がある場合は（Ｓ１６：有り）、該その他の表示要求に対応する表示処理（Ｓ１７）を実行して一旦処理を終了する。また、その他の表示要求もない場合は（Ｓ１６：無し）、コピーモードの待機表示をして（Ｓ１９）、一旦処理を終了する。以上の、Ｓ１２〜Ｓ１９の処理により、図４（Ｂ）のテーブルに沿った表示が実行される。
【００４３】
更に、図示省略したが、ＦＡＸモードキー３４ａもコピーモードキー３４ｂも押下されておらず（Ｓ１１：Ｎ）、スキャナモードキー３４ｃが押下されている場合は、上記Ｓ２〜Ｓ７またはＳ１２〜Ｓ１７と同様にして、スキャナ機能に関する情報を表示パネル２０に優先的に表示する。
【００４４】
以上のように、本実施の形態の複合機１では、機能キー３４によって指定された機能に関する情報を表示パネル２０に優先的に表示している。このため、複数の機能が並行して実行される場合でも、複合機１の操作性を良好に向上させることができる。次に、表示パネル２０における具体的な表示をいくつか例示する。
【００４５】
図６は、ファクシミリ機能による送信中（スキャナ部６０による原稿の読み取りが完了した後）に、コピーモードキー３４ｂを押下してコピーモードへ移行し、コピーを行う場合の表示の変化を表す説明図である。コピーモードキー３４ｂが押下されるまでは、表示パネル２０には次のようなファクシミリ機能に関する情報が表示される。例えば、表示パネル２０の上段には、１ジョブ目の第１頁を送信していることを表す「Ｓｅｎｄｉｎｇ  ＃００１Ｐ０１」といった表示がなされ、表示パネル２０の下段には、通信解像度が標準であることを表す「Ｒｅｓ：Ｓｔａｎｄａｒｄ」といった表示とがなされる。
【００４６】
コピーモードキー３４ｂが押下され、更に読取給紙部１４に原稿がセットされると、表示パネル２０にはコピー機能に関する情報が表示される。例えば、表示パネル２０の上段には、コピーの部数を表す「Ｓｔａｃｋ  Ｃｏｐｉｅｓ：０１」といった表示がなされ、表示パネル２０の下段には、複写倍率を表す「１００％」，濃淡を表すバー，画質を表す「Ａｕｔｏ」が表示される。このとき、複写倍率，濃淡，及び画質は、拡大縮小切換キー３８ａ，濃淡切換キー３８ｂ，または画質切換キー３８ｃの操作によって設定することができる。例えば、画質切換キー３８ｃ（Ｑｕａｌｉｔｙキー）を押下すると、「Ａｕｔｏ」と上下の矢印とが表示され、設定キー３５の操作により画質を変更することができる。また、この表示状態では、数字キー３１を押下することにより、コピーの部数を設定することもできる。
【００４７】
所望の設定後にスタートキー３６を押下すると、スキャナ部６０及びプリンタ部５０を駆動する周知の処理によりコピーがなされる。このとき、表示パネル２０の下段には、コピー中であることを表す「Ｃｏｐｙｉｎｇ」とその頁数が表示される。なお、コピーの部数を２部以上に設定した場合は、図７の冒頭に示す「Ｃｏｐｙ：Ｓｔａｃｋｉｎｇ０１」等のようにコピー中の部数が表示される。
【００４８】
そして、コピーが終了した時点で前述のファクシミリ機能による送信が継続していたら、最初に示したような表示がなされる。すなわち、コピー表示要求はなくなったが（Ｓ１２：無し）、ＦＡＸ表示要求は残っているので（Ｓ１４：有り）、ＦＡＸ表示処理がなされる（Ｓ１５）。なお、図６の例では、コピー中に２頁分の送信処理がなされており、上段には１ジョブ目の第３頁を送信していることを表す「Ｓｅｎｄｉｎｇ  ＃００１Ｐ０３」が、下段には前述の「Ｒｅｓ：Ｓｔａｎｄａｒｄ」が、それぞれ表示されている。
【００４９】
一方、コピーが終了した時点でファクシミリ機能による送信が終了していたら、コピーモードキー３４ｂを押下して原稿をセットしたときと同様の表示がなされる。この表示が、コピーモード（この時点ではコピーモードキー３４ｂが点灯中）における複合機１の待機表示となる（Ｓ１９）。また、コピーが終了した時点で送信が継続していた場合にも、送信終了後２秒経過してからこの待機表示となる。なお、送信終了時には、表示パネル２０の上段に「Ｃｏｍｐｌｅｔｅｄ」と表示される。
【００５０】
図７は２部以上のコピーを行っているとき（１部目の原稿読み取り終了後）に、ファクシミリ機能による送信を実行する場合の表示の変化を表す説明図である。ＦＡＸモードキー３４ａを押下して原稿を読取給紙部１４にセットするか、原稿をセットしてからＦＡＸモードキー３４ａを押下すると、表示パネル２０の表示はコピー中を表す表示から変化し、上段は空欄になると共に下段に前述の「Ｒｅｓ：Ｓｔａｎｄａｒｄ」が表示される。数字キー３１によりダイヤル入力すると入力された電話番号が上段に表示され、入力後にスタートキー３６を押下すると、スキャナ部６０が原稿の読み取りを開始する。読み取り中、表示パネル２０の上段には、「Ｍｅｍｏｒｙ  ＃００１」等のように読み取り中のジョブ番号が表示される。
【００５１】
読み取りが終了してダイヤリングが開始されると、上段の表示は「Ｄｉａｌｉｎｇ  ＃００１」等のように変化し、更に、フェーズＣが開始されると「Ｓｅｎｄｉｎｇ  ＃００１Ｐ０１」等のように変化する。通信が終了すると、表示パネル２０の上段には「Ｃｏｍｐｌｅｔｅｄ」と表示され、それから２秒経過後、コピー継続中であれば図７の冒頭と同様の表示がなされる。すなわち、ＦＡＸ表示要求はなくなったが（Ｓ２：無し）、コピー表示要求は残っているので（Ｓ４：有り）、コピー表示処理がなされる（Ｓ５）。なお、ファクシミリ機能による送信中になされたコピーの部数に応じて「Ｃｏｐｙ：Ｓｔａｃｋｉｎｇ」の数値は変化する。
【００５２】
一方、通信が終了して２秒経過した時点でコピーが終了していたら、表示パネル２０の上段に日付，時刻，及び自動受信を表す「Ａｕｔｏ」の表示がなされる。この表示が、ファクシミリモード（この時点ではＦＡＸモードキー３４ａが点灯中）における複合機１の待機表示となる（Ｓ９）。
【００５３】
図８（Ａ）は、コピー継続中（すなわちコピーモードキー３４ｂが点灯するコピーモード中）にファクシミリ機能による受信がなされた場合の表示の変化を表す説明図である。この場合、コピー継続中は常にコピー表示要求があるので（Ｓ１２：有り）、受信の状態に関わらず、常に「Ｃｏｐｙ：Ｓｔａｃｋｉｎｇ」等のコピー表示処理（Ｓ１３）がなされ、コピー終了後はコピーモードの待機表示がなされる（Ｓ１９）。なお、ファクシミリ機能により受信したデータの印刷は、上記コピーの終了後になされる。
【００５４】
一方、コピーモードの待機表示中に受信した場合は、コピー表示要求がないので（Ｓ１２：無し）、電話回線からの呼出信号入力後に回線閉結してＦＡＸ表示要求が発生すると（Ｓ１４：有り）、受信を表す「Ｒｅｃｅｉｖｉｎｇ」が表示パネル２０の上段に表示される。このとき、表示パネル２０の下段は空欄である。そして、フェーズＣが開始されると、「Ｒｅｃｅｉｖｉｎｇ」の後に頁数が表示され、通信が終了すると「Ｃｏｍｐｌｅｔｅｄ」と表示される。そして、その２秒後にコピーモードの待機表示となる（Ｓ１９）。なお、図８（Ａ）に沿った表示の途中でＦＡＸモードキー３４ａを押下すると、図８（Ｂ）に示すような「Ｒｅｃｅｉｖｉｎｇ」等の表示に切り替えることができる。
【００５５】
このように、複合機１では、機能キー３４によって指定された機能に関する情報を表示パネル２０に優先的に表示しているので、極めて操作性を向上させることができる。例えば、コピーモードキー３４ｂを押下してコピーを行っている際は、ＦＡＸの受信の有無に関わらずコピー専用機と同様に取り扱うことができる。また、このときコピーモードキー３４ｂが点灯しているので、コピーモードであることは使用者が容易に把握できる。更に、図８（Ｂ）のように、コピーモードの待機表示中にファクシミリ機能を割り込み実行した場合にも、そのファクシミリ機能の実行が終了すると再びコピーモードの待機表示に戻るので、操作性を一層向上させることができる。
【００５６】
なお、本発明は上記実施の形態に何等限定されるものではなく、本発明の要旨を逸脱しない範囲で種々の形態で実施することができる。例えば、表示パネル２０は上段，下段に別れることなく１行だけの表示を行ってもよい。逆に、表示パネル２０をもう少し大きくして、複数の機能に関する情報を同時に表示できるようにしてもよい。但し、この場合も、優先して表示すべき情報を上に表示するとか大きく表示するとかするとよい。また、複数の機能に関する情報を、表示パネル２０の表示を交互に切り替えて表示してもよいが、この場合、優先して表示すべき情報の表示時間を長くするとよい。
【００５７】
更に、上記実施の形態では、機能キー３４の操作に応じて優先して情報表示すべき機能を設定しているが、昼と夜とで優先して情報表示すべき機能を切り替えるなど、各種状況に応じて表示パネル２０の表示を切り替えることが考えられる。また更に、上記実施の形態では、コピー部数を入力するための数字キー３１とダイヤル入力のための数字キー３１とを共通にして、モードに応じて役目を変化させて一層のコストダウンを図っているが、両者を別体に設けてもよい。
【図面の簡単な説明】
【００５８】
【図１】本発明が適用された複合機の構成を表す斜視図である。
【図２】その複合機の内部構成を表すブロック図である。
【図３】その複合機の機能キーの構成を表す拡大図である。
【図４】その複合機の表示処理に係るテーブルを表す説明図である。
【図５】その複合機の制御部が実行する処理を表すフローチャートである。
【図６】その複合機の表示動作の具体例を表す説明図である。
【図７】その複合機の表示動作の他の具体例を表す説明図である。
【図８】その複合機の表示動作の更に他の具体例を表す説明図である。
【符号の説明】
【００５９】
１…複合機                ２０…表示パネル              ３０…操作パネル
３１…数字キー            ３４…機能キー                ３４ａ…ＦＡＸモードキー
３４ｂ…コピーモードキー    ３４ｃ…スキャナモードキー    ３６…スタートキー
４０…制御部              ５０…プリンタ部              ６０…スキャナ部
【図１】
2005086266.tif 000003
【図２】
2005086266.tif 000004
【図３】
2005086266.tif 000005
【図４】
2005086266.tif 000006
【図５】
2005086266.tif 000007
【図６】
2005086266.tif 000008
【図７】
2005086266.tif 000009
【図８】
2005086266.tif 000010